(57)【要約】【課題】雨水などが付着してもスピーカとしての機能が損なわれることがなく、屋外で使用するのに好適な屋外用平面スピーカを提供する。【解決手段】屋外で使用可能な屋外用の平面スピーカ１０であって、指向性の音声を出力する平面状の静電型スピーカ１２と、静電型スピーカ１２の表面側に設けられ、静電型スピーカ１２への雨水の浸入を防ぐための透音性の防水シート１４と、防水シート１４を固定するための帯状の振れ止め部材１６と、防水シート１４の表面側に設けられた透音性の表面シート１８とを備えるようにする。【選択図】図３
2015035801.tif 000002
【特許請求の範囲】
【請求項１】
屋外で使用可能な屋外用の平面スピーカであって、
指向性の音声を出力する平面状の静電型スピーカと、
前記静電型スピーカの表面側に設けられ、前記静電型スピーカへの雨水の浸入を防ぐ防水性と透音性を併せ持つ表面シートとを備えることを特徴とする屋外用平面スピーカ。
【請求項２】
屋外で使用可能な屋外用の平面スピーカであって、
指向性の音声を出力する平面状の静電型スピーカと、
前記静電型スピーカの表面側に設けられ、前記静電型スピーカへの雨水の浸入を防ぐための透音性の防水シートと、
前記防水シートを固定するための帯状の振れ止め部材と、
前記防水シートの表面側に設けられた透音性の表面シートとを備えることを特徴とする屋外用平面スピーカ。
【請求項３】
前記静電型スピーカ、前記シートを固定するための枠部材をさらに備えることを特徴とする請求項１または２に記載の屋外用平面スピーカ。
【請求項４】
前記表面シートの表面は印刷可能に構成されることを特徴とする請求項１〜３のいずれか一つに記載の屋外用平面スピーカ。
【請求項５】
前記静電型スピーカの裏面側に設けられ、前記静電型スピーカへの雨水の浸入を防ぐ防水性と遮音性を併せ持つ裏面シートをさらに備えることを特徴とする請求項１〜４のいずれか一つに記載の屋外用平面スピーカ。
【請求項６】
前記シートは、水滴の付着を防止するためのコーティング層で被覆されており、このコーティング層は、塩化ビニル系、ウレタン系、ポリエステル系、シリコン系、フッ素系の樹脂のうちの少なくとも一つから構成されることを特徴とする請求項１〜５のいずれか一つに記載の屋外用平面スピーカ。
【請求項７】
前記シートは、氷雪の付着を防止するためのコーティング層で被覆されていることを特徴とする請求項１〜６のいずれか一つに記載の屋外用平面スピーカ。
【請求項８】
前記シートは、防汚性を付与するためのコーティング層で被覆されていることを特徴とする請求項１〜７のいずれか一つに記載の屋外用平面スピーカ。
【請求項９】
前記表面シートの周囲に防水ファスナーが設けられ、前記防水ファスナーを介して前記表面シートが取り換え可能となっていることを特徴とする請求項１〜８のいずれか一つに記載の屋外用平面スピーカ。
【発明の詳細な説明】
【技術分野】
【０００１】
本発明は、風雨環境下においてスピーカとしての機能を損なうことなく長期間風雨に耐えて指向性音声を出力することのできる屋外用の平面スピーカに関し、特にダム工事、トンネル工事、大規模造成工事などの土木建築工事現場のような屋外に設置して長期間使用するのに好適な屋外用平面スピーカに関するものである。
【背景技術】
【０００２】
従来、静電型スピーカからなる平面スピーカが知られている（例えば、特許文献１〜３を参照）。静電型スピーカは、間隔をあけて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を音響信号に応じて変化させれば、それに応じて振動体は変位を繰り返して振動し、音響信号に応じた再生波が振動体から発生するようになっている。
【０００３】
市販されている静電型スピーカとしては、例えばヤマハ株式会社製の平面スピーカ（商品名：ＴＬＦスピーカー、ＴＬＦは登録商標）がある。この平面スピーカは、（１）スピーカ自体が平面形状で１．５ｍｍと薄い、（２）４６０ｇと軽量である、（３）折り曲げることができる、（４）拡散角度が小さく指向性が強い、（５）音のエネルギーが減衰しにくい、（６）工事現場の騒音環境下においても明瞭なささやき声として聞こえる、といった特長を有している。最近、この平面スピーカを、屋内の店舗の看板や広告などに活用する事例が増えてきている。看板や広告に平面スピーカを組み込むことでその視認度が７倍に増大したとの調査結果もある。
【先行技術文献】
【特許文献】
【０００４】
【特許文献１】特開２０１１−７７９２４号公報
【特許文献２】特開２０１２−２０９６８８号公報
【特許文献３】特開２０１３−２１６８４号公報
【発明の概要】
【発明が解決しようとする課題】
【０００５】
ところで、上記の従来の平面スピーカは、基本的に屋内での使用を前提としている。このため、ダム工事、トンネル工事、大規模造成工事といった土木建築工事現場における音声発信設備などのように、平面スピーカを屋外に常時設置して使用する場合、雨水などが表面に付着したり内部に浸入したりすることによって、スピーカから音声が出力されなくなるなどの故障を来たすおそれがあった。
【０００６】
本発明は、上記に鑑みてなされたものであって、雨水などが付着してもスピーカとしての機能が損なわれることがなく、屋外で使用するのに好適な屋外用平面スピーカを提供することを目的とする。
【課題を解決するための手段】
【０００７】
上記した課題を解決し、目的を達成するために、本発明に係る屋外用平面スピーカは、屋外で使用可能な屋外用の平面スピーカであって、指向性の音声を出力する平面状の静電型スピーカと、前記静電型スピーカの表面側に設けられ、前記静電型スピーカへの雨水の浸入を防ぐ防水性と透音性を併せ持つ表面シートとを備えることを特徴とする。
【０００８】
また、本発明に係る他の屋外用平面スピーカは、屋外で使用可能な屋外用の平面スピーカであって、指向性の音声を出力する平面状の静電型スピーカと、前記静電型スピーカの表面側に設けられ、前記静電型スピーカへの雨水の浸入を防ぐための透音性の防水シートと、前記防水シートを固定するための帯状の振れ止め部材と、前記防水シートの表面側に設けられた透音性の表面シートとを備えることを特徴とする。
【０００９】
また、本発明に係る他の屋外用平面スピーカは、上述した発明において、前記静電型スピーカ、前記シートを固定するための枠部材をさらに備えることを特徴とする。
【００１０】
また、本発明に係る他の屋外用平面スピーカは、上述した発明において、前記表面シートの表面は印刷可能に構成されることを特徴とする。
【００１１】
また、本発明に係る他の屋外用平面スピーカは、上述した発明において、前記静電型スピーカの裏面側に設けられ、前記静電型スピーカへの雨水の浸入を防ぐ防水性と遮音性を併せ持つ裏面シートをさらに備えることを特徴とする。
【００１２】
また、本発明に係る他の屋外用平面スピーカは、上述した発明において、前記シートは、水滴の付着を防止するためのコーティング層で被覆されており、このコーティング層は、塩化ビニル系、ウレタン系、ポリエステル系、シリコン系、フッ素系の樹脂のうちの少なくとも一つから構成されることを特徴とする。
【００１３】
また、本発明に係る他の屋外用平面スピーカは、上述した発明において、前記シートは、氷雪の付着を防止するためのコーティング層で被覆されていることを特徴とする。
【００１４】
また、本発明に係る他の屋外用平面スピーカは、上述した発明において、前記シートは、防汚性を付与するためのコーティング層で被覆されていることを特徴とする。
【００１５】
また、本発明に係る他の屋外用平面スピーカは、上述した発明において、前記表面シートの周囲に防水ファスナーが設けられ、前記防水ファスナーを介して前記表面シートが取り換え可能となっていることを特徴とする。
【発明の効果】
【００１６】
本発明に係る屋外用平面スピーカによれば、屋外で使用可能な屋外用の平面スピーカであって、指向性の音声を出力する平面状の静電型スピーカと、前記静電型スピーカの表面側に設けられ、前記静電型スピーカへの雨水の浸入を防ぐ防水性と透音性を併せ持つ表面シートとを備えるので、屋外用平面スピーカに降り注ぐ雨水は表面側の表面シートによって内部への浸入を阻まれ、内部の静電型スピーカは雨水で濡れることがない。一方、静電型スピーカからの音声は透音性の表面シートを透過して外部に放音され得る。したがって、表面に雨水などが付着してもスピーカとしての機能が損なわれることがなく、屋外で使用するのに好適な屋外用平面スピーカを提供することができるという効果を奏する。
【００１７】
また、本発明に係る他の屋外用平面スピーカによれば、屋外で使用可能な屋外用の平面スピーカであって、指向性の音声を出力する平面状の静電型スピーカと、前記静電型スピーカの表面側に設けられ、前記静電型スピーカへの雨水の浸入を防ぐための透音性の防水シートと、前記防水シートを固定するための帯状の振れ止め部材と、前記防水シートの表面側に設けられた透音性の表面シートとを備えるので、屋外用平面スピーカに降り注ぐ雨水は表面側の表面シートおよび防水シートによって内部への浸入を阻まれ、内部の静電型スピーカは雨水で濡れることがない。一方、静電型スピーカからの音声は透音性の防水シートおよび表面シートを透過して外部に放音され得る。したがって、表面に雨水などが付着してもスピーカとしての機能が損なわれることがなく、屋外で使用するのに好適な屋外用平面スピーカを提供することができるという効果を奏する。
【００１８】
また、本発明に係る他の屋外用平面スピーカによれば、前記静電型スピーカ、前記シートを固定するための枠部材をさらに備えるので、例えば、表面の表面シートを風による撓みで内部の静電型スピーカに接触しない程度の緊張状態で枠部材に固定すれば、屋外で使用するのに好適な耐風構造の屋外用平面スピーカを提供することができるという効果を奏する。
【００１９】
また、本発明に係る他の屋外用平面スピーカによれば、前記表面シートの表面は印刷可能に構成されるので、表面シートの表面に文字や図形等の視覚情報を印刷することにより、本発明の屋外用平面スピーカを、指向性の音声を出力する屋外用の平面スピーカとしてだけでなく、視覚情報を表示する屋外設置用の看板としても使用することができるという効果を奏する。
【００２０】
また、本発明に係る他の屋外用平面スピーカによれば、前記静電型スピーカの裏面側に設けられ、前記静電型スピーカへの雨水の浸入を防ぐ防水性と遮音性を併せ持つ裏面シートをさらに備えるので、静電型スピーカからの音声は、表面側の透音性の表面シートを透過して表面側の外部に放音され得る一方で、裏面側の遮音性の裏面シートによって遮音されて裏面側の外部に放音されない。このため、屋外用平面スピーカの裏面側に対して騒音となる事態を防ぎながら、表面側に対して所定の音声を出力することができる。したがって、民家などの騒音対策が必要な場所に隣接した工事現場などで使用するのに好適な屋外用平面スピーカを提供することができるという効果を奏する。
【００２１】
また、本発明に係る他の屋外用平面スピーカによれば、前記シートは、水滴の付着を防止するためのコーティング層で被覆されており、このコーティング層は、塩化ビニル系、ウレタン系、ポリエステル系、シリコン系、フッ素系の樹脂のうちの少なくとも一つから構成されるので、シートを被覆するコーティング層に付着した雨水などの水滴は重力の作用により下方に滴り落ち、シート内側に浸入しない。これにより、シート内側の静電型スピーカが濡れる事態を未然に防ぐことができる。したがって、表面に雨水などが付着してもスピーカとしての機能が損なわれることがなく、屋外で使用するのに好適な屋外用平面スピーカを提供することができるという効果を奏する。
【００２２】
また、本発明に係る他の屋外用平面スピーカによれば、前記シートは、氷雪の付着を防止するためのコーティング層で被覆されているので、降雪などによる氷雪は、シートを被覆するコーティング層によってシート表面に付着することなく、重力の作用により下方に滑り落ちる。これにより、シート内側の静電型スピーカが氷雪によって濡れる事態を防ぐことができる。また特に、表面シートの表面に文字や図形等の視覚情報が印刷されており、この表面シートを備える屋外用平面スピーカを屋外設置用の看板として使用する場合においては、氷雪の付着によって表面シートの文字や図形等の視覚情報が外部から見えなくなる事態を未然に防ぐことができる。したがって、降雪時などにおいても、スピーカとしての機能はもちろんのこと、看板としての機能を正常に維持することができるという効果を奏する。
【００２３】
また、本発明に係る他の屋外用平面スピーカによれば、前記シートは、防汚性を付与するためのコーティング層で被覆されているので、シートを被覆するコーティング層によって、シート表面に汚れが付着しにくいという効果を奏する。
【００２４】
また、本発明に係る他の屋外用平面スピーカによれば、前記表面シートの周囲に防水ファスナーが設けられ、前記防水ファスナーを介して前記表面シートが取り換え可能となっているので、例えば表面シートの表面に表示された視覚情報の内容を必要に応じて容易に取り換えることができるという効果を奏する。
【図面の簡単な説明】
【００２５】
【図１】図１は、本発明に係る屋外用平面スピーカの実施の形態１を示す概略正面図である。
【図２】図２は、本発明に係る屋外用平面スピーカの実施の形態１を示す概略側面図である。
【図３】図３は、本発明に係る屋外用平面スピーカの実施の形態１を示す図であり、図２のＡ部分の側断面図である。
【図４−１】図４−１は、本発明に係る屋外用平面スピーカの実施の形態１を示す図であり、使用状況を表した概略正面図である。
【図４−２】図４−２は、本発明に係る屋外用平面スピーカの実施の形態１を示す図であり、使用状況を表した概略側面図である。
【図５】図５は、本発明に係る屋外用平面スピーカの実施の形態２を示す概略正面図である。
【図６】図６は、本発明に係る屋外用平面スピーカの実施の形態２を示す概略側面図である。
【図７】図７は、本発明に係る屋外用平面スピーカの実施の形態２を示す図であり、図６のＡ部分の側断面図である。
【図８−１】図８−１は、本発明に係る屋外用平面スピーカの実施の形態２を示す図であり、使用状況を表した概略正面図である。
【図８−２】図８−２は、本発明に係る屋外用平面スピーカの実施の形態２を示す図であり、使用状況を表した概略側面図である。
【図９】図９は、本発明に係る屋外用平面スピーカの実施の形態１および２の変形例を示す概略正面図である。
【発明を実施するための形態】
【００２６】
以下に、本発明に係る屋外用平面スピーカの実施の形態を図面に基づいて詳細に説明する。なお、この実施例によりこの発明が限定されるものではない。
【００２７】
［実施の形態１］
まず、本発明の実施の形態１について図１〜図４−２を参照しながら説明する。
【００２８】
図１、図２および図３に示すように、本実施の形態１に係る屋外用平面スピーカ１０は、屋外で使用可能な屋外用の平面スピーカであって、指向性の音声を出力する平面状の静電型スピーカ１２と、透音性の撥水シート１４（防水シート）と、アクリル製の帯状の振れ止め部材１６と、透音性のクロス１８（表面シート）と、パンチングメタルからなるアルミ枠２０（枠部材）とを備える。この屋外用平面スピーカ１０は、薄型の矩形板状のものであり、その外形寸法としては、例えば高さ１０００ｍｍ、幅８００ｍｍ、厚さ５０ｍｍ程度のものを用いることができる。
【００２９】
静電型スピーカ１２は、ここでは図示しないが、間隔をあけて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を音響信号に応じて変化させれば、それに応じて振動体は変位を繰り返して振動し、音響信号に応じた再生波が振動体から発生するようになっている。このため、静電型スピーカ１２からの音声は、図１の例では紙面に垂直な方向に放音し、図２の例では左右方向に放音することになる。
【００３０】
なお、この静電型スピーカ１２としては、例えばヤマハ株式会社製の平面スピーカ（商品名：ＴＬＦスピーカー、ＴＬＦは登録商標）を使用することができる。この平面スピーカは、（１）スピーカ自体が平面形状で１．５ｍｍと薄い、（２）４６０ｇと軽量である、（３）折り曲げることができる、（４）拡散角度が小さく指向性が強い、（５）音のエネルギーが減衰しにくい、（６）工事現場の騒音環境下においても明瞭なささやき声として聞こえる、といった特長を有している。
【００３１】
撥水シート１４（防水シート）は、表面が水をはじく撥水性のシートであり、静電型スピーカ１２への雨水の浸入を防ぐためのものである。この撥水シート１４は、透音性のものであり、静電型スピーカ１２の両面側（表面側１２Ａおよび裏面側１２Ｂ）に、静電型スピーカ１２から間隔をあけてこれを被覆するように設けられる。
【００３２】
振れ止め部材１６は、撥水シート１４を固定するアクリル製の帯状の部材である。撥水シート１４の裏面側１４Ｂが振れ止め部材１６の表面側１６Ｂに全体としては所々で貼り付いた態様となっている。振れ止め部材１６は、図３に示すように、静電型スピーカ１２の両面側（表面側１２Ａおよび裏面側１２Ｂ）に、静電型スピーカ１２から間隔をあけて設けられる。また、この振れ止め部材１６は、図１に示すように、屋外用平面スピーカ１０の左右上下の周縁に沿って配置されるとともに、上下方向に延在する態様で屋外用平面スピーカ１０の幅方向中央、左右側の計３箇所に配置される。したがって、撥水シート１４は、各振れ止め部材１６で固定支持される膜状のものとして配置されることになる。なお、振れ止め部材１６は、撥水シート１４を固定支持することが可能なものであればいかなる材質・形状のものでもよい。
【００３３】
クロス１８（表面シート）は、撥水シート１４の表面側、すなわち屋外用平面スピーカ１０の最も外側に撥水シート１４から間隔をあけてこれを被覆するように設けられる透音性のものであり、例えば織物や布で構成される。クロス１８の表面は、高精細の印刷が可能なように構成されている。クロス１８の表面に文字や図形等の視覚情報を印刷することにより、本実施の形態１の屋外用平面スピーカ１０を、指向性の音声を出力する屋外用の平面スピーカとしてだけでなく、視覚情報を表示する屋外設置用の看板や広告としても使用することができる。
【００３４】
アルミ枠２０（枠部材）は、静電型スピーカ１２、撥水シート１４、振れ止め部材１６およびクロス１８を一体的に固定するためのパンチングメタルからなり、屋外用平面スピーカ１０の外枠を構成するものである。静電型スピーカ１２、撥水シート１４、振れ止め部材１６の各周縁端部は、アルミ枠２０内側に固定され、内方に向けて突出する支持部材２２ａ、２２ｂにそれぞれ固定される。支持部材２２ａ、２２ｂはボルトからなる取付金具２４などによりアルミ枠２０に固定される。クロス１８は、アルミ枠２０の周縁部２０ａに対してその周縁端部が収納されて固定されている。なお、枠部材としてアルミ枠２０を例にとり説明したが、これに限るものではなく、静電型スピーカ１２、撥水シート１４、振れ止め部材１６およびクロス１８を一体的に固定することができるものであれば、いかなる材質のものでもよい。
【００３５】
ここで、クロス１８は、風による撓みで内部の静電型スピーカ１２に接触しない程度の緊張状態でアルミ枠２０の周縁部２０ａに収納され固定してある。こうすることで、クロス１８は風を受けて容易に撓むことがなく、クロス１８が内部の静電型スピーカ１２に接触するおそれはない。このため、屋外用平面スピーカ１０を屋外で使用するのに好適な耐風構造とすることができる。
【００３６】
なお、静電型スピーカ１２用の電気配線のコネクタは、図１に示すように、屋外用平面スピーカ１０の左下側の周縁部に設けたコネクタ用防水構造２６の内部に格納してある。
【００３７】
上記構成の動作および作用について説明する。
図４−１、図４−２および図３に示すように、架台２８の上に設置された屋外用平面スピーカ１０に雨水が降り注いだ場合、クロス１８およびその内部の撥水シート１４表面に一時的に付着した雨水は重力の作用により下方に滴り落ちる。このため、雨水は表面側のクロス１８および撥水シート１４によって内部への浸入を阻まれ、内部の静電型スピーカ１２は雨水で濡れることがない。一方、静電型スピーカ１２からの音声Ｓは透音性の撥水シート１４およびクロス１８を透過して外部に放音され得る。したがって、本実施の形態１によれば、表面に雨水などが一時的に付着してもスピーカとしての機能が損なわれることがなく、屋外で使用するのに好適な屋外用平面スピーカを提供することができるという効果を奏する。
【００３８】
また、最も外側のクロス１８は、風による撓みで内部の静電型スピーカ１２に接触しない程度の緊張状態でアルミ枠２０に固定してあるので、クロス１８は風を受けて容易に撓むことがなく、クロス１８が内部の静電型スピーカ１２に接触するおそれはない。
【００３９】
このため、本実施の形態１に係る屋外用平面スピーカ１０は、風雨環境下においてスピーカとしての機能を損なうことなく長期間風雨に耐えて指向性音声を出力可能なスピーカとして使用することができる。特に、本実施の形態１に係る屋外用平面スピーカ１０は、屋外に長期間設置しても、風や雨水などが表面に付着したり内部に浸入したりすることによって、静電型スピーカ１２から音声が出力されなくなるなどの故障を来たすおそれがなく長期間正常に使用することができるので、ダム工事、トンネル工事、大規模造成工事などの土木建築工事現場のような屋外に設置して長期間使用する平面スピーカとして有効である。
【００４０】
特に、土木建築工事現場において工事車両出入口や覆工の開口部等の危険区域がある場合には、その近傍に設けた屋外用平面スピーカ１０からの音によって、この危険区域への注意喚起を効果的にすることも可能であり、工事現場の安全性向上に資することができる。また、本実施の形態１の屋外用平面スピーカ１０は、工事現場に限らず、屋外で催される商業イベントなどにおいても好適に利用することができる。
【００４１】
なお、上記の実施の形態１において、表面シートとしてクロス１８（すなわち織物や布などからなる材質のもの）を例にとり説明したが、上記の実施の形態１に用いる表面シートはこうしたクロスに限るものではなく、透音性のあるシート状のものであればいかなる材質のものを用いてもよい。表面シートはその表面が印刷可能に構成されることが望ましく、より好適には看板や広告用のポスター用途で使用される材質のものを用いるのがよい。
【００４２】
［実施の形態２］
次に、本発明の実施の形態２について図５〜図８−２を参照しながら説明する。
【００４３】
図５、図６および図７に示すように、本実施の形態２に係る屋外用平面スピーカ１００は、屋外で使用可能な屋外用の平面スピーカであって、指向性の音声を出力する平面状の静電型スピーカ３２と、防水性と透音性を併せ持つクロス３４（表面シート）と、防水性と遮音性を併せ持つ裏面シート３６と、アクリル製の帯状の振れ止め部材３８と、アルミ枠４０（枠部材）とを備える。この屋外用平面スピーカ１００は、薄型の矩形板状のものであり、その外形寸法としては、例えば高さ１０００ｍｍ、幅８００ｍｍ、厚さ５０ｍｍ程度のものを用いることができる。
【００４４】
静電型スピーカ３２は、ここでは図示しないが、間隔をあけて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を音響信号に応じて変化させれば、それに応じて振動体は変位を繰り返して振動し、音響信号に応じた再生波が振動体から発生するようになっている。このため、静電型スピーカ３２からの音声は、図５の例では紙面に垂直な方向に放音し、図６の例では左右方向に放音することになる。
【００４５】
なお、この静電型スピーカ３２としては、例えばヤマハ株式会社製の平面スピーカ（商品名：ＴＬＦスピーカー、ＴＬＦは登録商標）を使用することができる。この平面スピーカは、（１）スピーカ自体が平面形状で１．５ｍｍと薄い、（２）４６０ｇと軽量である、（３）折り曲げることができる、（４）拡散角度が小さく指向性が強い、（５）音のエネルギーが減衰しにくい、（６）工事現場の騒音環境下においても明瞭なささやき声として聞こえる、といった特長を有している。
【００４６】
クロス３４（表面シート）は、静電型スピーカ３２への雨水の浸入を防ぐ防水性と透音性を併せ持つものであり、静電型スピーカ３２の表面側３２Ａ、より具体的には屋外用平面スピーカ１００の表面側の最も外側に静電型スピーカ３２から間隔をあけてこれを被覆するように設けられる。このクロス３４は、表面が水をはじく撥水性の透音性シートによって構成することができ、例えば撥水コーティング等によって表面に撥水性が付与された織物や布で構成することができる。クロス３４が透音性であることにより、静電型スピーカ３２からの音声はクロス３４を透過でき、屋外用平面スピーカ１００の表面側から外部に放音することができる。また、クロス３４の表面は、高精細の印刷が可能なように構成されている。クロス３４の表面に文字や図形等の視覚情報を印刷することにより、本実施の形態２の屋外用平面スピーカ１００を、指向性の音声を出力する屋外用の平面スピーカとしてだけでなく、視覚情報を表示する屋外設置用の看板や広告としても使用することができる。
【００４７】
裏面シート３６は、静電型スピーカ３２への雨水の浸入を防ぐ防水性と遮音性を併せ持つものであり、静電型スピーカ３２の裏面側３２Ｂに設けられる。より具体的には、裏面シート３６は、静電型スピーカ３２から間隔をあけてこれを被覆するように屋外用平面スピーカ１００の裏面側の最も外側に設けられる。この裏面シート３６は、表面が水をはじく撥水性の遮音性シートによって構成することができ、例えば撥水コーティング等によって表面に撥水性が付与されるとともに、樹脂コーティング等によって裏面に遮音性が付与された織物や布で構成することができる。裏面シート３６が遮音性であることにより、静電型スピーカ３２からの音声は裏面シート３６を透過できず、屋外用平面スピーカ１００の裏面側から外部への放音をできなくすることができる。また、裏面シート３６の表面（屋外用平面スピーカ１００の外部に表出する側の面）は、高精細の印刷が可能なように構成してもよい。裏面シート３６の表面に文字や図形等の視覚情報を印刷することにより、本実施の形態２の屋外用平面スピーカ１００の裏面側を、視覚情報を表示する屋外設置用の看板や広告として使用することができる。
【００４８】
振れ止め部材３８は、クロス３４、裏面シート３６を固定するアクリル製の帯状の部材であり、図７に示すように、静電型スピーカ３２の両面側（表面側３２Ａおよび裏面側３２Ｂ）に、静電型スピーカ３２から間隔をあけて設けられる。本実施の形態２においては、クロス３４の裏面側３４Ｂが振れ止め部材３８の表面側３８Ａに全体としては所々で貼り付いた態様となっている。同様に、裏面シート３６の裏面側３６Ｂが振れ止め部材３８の表面側３８Ａに全体としては所々で貼り付いた態様となっている。また、この振れ止め部材３８は、図５に示すように、屋外用平面スピーカ１００の左右上下の周縁に沿って配置されるとともに、上下方向に延在する態様で屋外用平面スピーカ１００の幅方向中央、左右側の計３箇所に配置される。したがって、クロス３４、裏面シート３６は、各振れ止め部材３８で固定支持される膜状のものとして配置されることになる。なお、振れ止め部材３８は、クロス３４、裏面シート３６を固定支持することが可能なものであればいかなる材質・形状のものでもよい。
【００４９】
アルミ枠４０（枠部材）は、静電型スピーカ３２、クロス３４、裏面シート３６および振れ止め部材３８を一体的に固定するための部材であり、屋外用平面スピーカ１００の外枠を構成するものである。静電型スピーカ３２、振れ止め部材３８の各周縁端部は、アルミ枠４０内側に固定され、内方に向けて突出する支持部材４２ａ、４２ｂにそれぞれ固定される。支持部材４２ａ、４２ｂはボルトからなる取付金具４４などによりアルミ枠４０に固定される。クロス３４、裏面シート３６は、それぞれアルミ枠４０の周縁部４０ａに対してその周縁端部が収納されて固定されている。なお、枠部材としてアルミ枠４０を例にとり説明したが、これに限るものではなく、静電型スピーカ３２、クロス３４、裏面シート３６および振れ止め部材３８を一体的に固定することができるものであれば、いかなる材質のものでもよい。
【００５０】
ここで、クロス３４、裏面シート３６は、風による撓みで内部の静電型スピーカ３２に接触しない程度の緊張状態でアルミ枠４０の周縁部４０ａに収納され固定してある。こうすることで、クロス３４、裏面シート３６は風を受けて容易に撓むことがなく、クロス３４、裏面シート３６が内部の静電型スピーカ３２に接触するおそれはない。このため、屋外用平面スピーカ１００を屋外で使用するのに好適な耐風構造とすることができる。
【００５１】
なお、静電型スピーカ３２用の電気配線のコネクタは、図５に示すように、屋外用平面スピーカ１００の左下側の周縁部に設けたコネクタ用防水構造４６の内部に格納してある。
【００５２】
上記構成の動作および作用について説明する。
図８−１、図８−２および図７に示すように、架台４８の上に設置された屋外用平面スピーカ１００に雨水が降り注いだ場合、クロス３４、裏面シート３６の表面に一時的に付着した雨水は重力の作用により下方に滴り落ちる。このため、雨水は表面側のクロス３４、裏面側の裏面シート３６によって内部への浸入を阻まれ、内部の静電型スピーカ３２は雨水で濡れることがない。一方、静電型スピーカ３２からの音声Ｓは表面側の透音性のクロス３４を透過して表面側から外部に放音され得る。また、静電型スピーカ３２からの音声Ｓは裏面側の遮音性の裏面シート３６によって遮音されて、裏面側から外部に放音されない。したがって、本実施の形態２によれば、表面に雨水などが一時的に付着してもスピーカとしての機能が損なわれることがなく、屋外で使用するのに好適な屋外用平面スピーカを提供することができるという効果を奏する。また、本実施の形態２によれば、屋外用平面スピーカ１００の裏面側に対して騒音となる事態を防ぎながら、表面側に対してのみ所定の音声Ｓを出力することができる。
【００５３】
また、最も外側のクロス３４、裏面シート３６は、風による撓みで内部の静電型スピーカ３２に接触しない程度の緊張状態でアルミ枠４０に固定してあるので、クロス３４、裏面シート３６は風を受けて容易に撓むことがなく、クロス３４、裏面シート３６が内部の静電型スピーカ３２に接触するおそれはない。
【００５４】
このため、本実施の形態２に係る屋外用平面スピーカ１００は、風雨環境下においてスピーカとしての機能を損なうことなく長期間風雨に耐えて指向性音声を出力可能なスピーカとして使用することができる。特に、本実施の形態２に係る屋外用平面スピーカ１００は、屋外に長期間設置しても、風や雨水などが表面に付着したり内部に浸入したりすることによって、静電型スピーカ３２から音声が出力されなくなるなどの故障を来たすおそれがなく長期間正常に使用することができるので、ダム工事、トンネル工事、大規模造成工事などの土木建築工事現場、工場内の案内看板のような屋外に設置して長期間使用する平面スピーカとして有効である。
【００５５】
特に、土木建築工事現場において工事車両出入口や覆工の開口部等の危険区域がある場合や、工場内の危険区域の入口には、その近傍に設けた屋外用平面スピーカ１００からの音によって、この危険区域への注意喚起を効果的にすることも可能であり、工事現場の安全性向上に資することができる。
【００５６】
また、例えば、工事現場の危険区域側を表面側に、民家側を裏面側に位置するように屋外用平面スピーカ１００を配置すれば、民家側に静電型スピーカ３２からの音声が直接出力されるのを防ぐことができる。したがって、本実施の形態２の屋外用平面スピーカ１００は、民家などの騒音対策が必要な場所に隣接した工事現場などで使用する場合に好適である。また、本実施の形態２の屋外用平面スピーカ１００は、工事現場、工場内に限らず、屋外で催される商業イベントなどにおいても好適に利用することができる。
【００５７】
なお、上記の実施の形態２において、表面シート（クロス３４）として織物や布などからなる材質のものを例にとり説明したが、上記の実施の形態２に用いる表面シートはこれに限るものではなく、防水性および透音性のあるシート状のものであればいかなる材質のものを用いてもよい。表面シートはその表面が印刷可能に構成されることが望ましく、より好適には看板や広告用のポスター用途で使用される材質のものを用いるのがよい。
【００５８】
また、上記の実施の形態２において、裏面シート３６として織物や布などからなる材質のものを例にとり説明したが、上記の実施の形態２に用いる裏面シートはこれに限るものではなく、防水性および遮音性のあるシート状のものであればいかなる材質のものを用いてもよい。裏面シートはその表面が印刷可能に構成されることが望ましく、より好適には看板や広告用のポスター用途で使用される材質のものを用いるのがよい。
【００５９】
また、上記の実施の形態１および２において、表面シート（クロス１８、３４）、裏面シート３６、撥水シート１４（防水シート）は、水滴の付着を防止するためのコーティング層で被覆されたもので構成してもよい。この場合、このコーティング層は、塩化ビニル系、ウレタン系、ポリエステル系、シリコン系、フッ素系の樹脂のうちの少なくとも一つから構成することができる。フッ素系の樹脂としては、例えばテフロン（登録商標）系の樹脂などを用いることができる。また、例えば、ポリエステル布に対して塩化ビニル系、ウレタン系、ポリエステル系の樹脂のうちの少なくとも一つからなるコーティング層を施して防水性または撥水性を付与してもよい。また、ポリエステル布またはコーティングされたポリエステル布に対してシリコン系、フッ素系の樹脂のうちの少なくとも一つからなるコーティング層を施して撥水性、防汚性を向上させてもよい。
【００６０】
また、上記の実施の形態１および２において、表面シート（クロス１８、３４）、裏面シート３６は、氷雪の付着を防止するためのコーティング層で被覆されたもので構成してもよい。この場合、降雪などによる氷雪は、シートを被覆するコーティング層によってシート表面に付着することなく、重力の作用により下方に滑り落ちる。これにより、シート内側の静電型スピーカが氷雪によって濡れる事態を防ぐことができる。また特に、表面シートの表面に文字や図形等の視覚情報が印刷されており、この表面シートを備える屋外用平面スピーカを屋外設置用の看板として使用する場合においては、氷雪の付着によって表面シートの文字等の視覚情報が外部から見えなくなる事態を未然に防ぐことができる。したがって、降雪時あるいは豪雪地帯での使用においても、スピーカとしての機能はもちろんのこと、看板としての機能を正常に維持することができる。
【００６１】
また、上記の実施の形態１および２において、静電型スピーカ、表面シート、裏面シート、振れ止め部材等を固定するための枠部材としてアルミ枠を例にとり説明したが、本発明はこれに限るものではなく、例えば、図９に示すような構造を採用してもよい。この構造の屋外用平面スピーカ２００は、四角枠状の枠部材５０の内周縁部５０ａと、矩形状の表面シート５２の外周縁部５２ａとを防水ファスナー５４で接合することにより構成される。ここで、表面シート５２は、上記の実施の形態１、２に記載のクロス１８、３４に相当し、枠部材５０は、アルミ枠２０、４０に相当するものである。
【００６２】
このようにすれば、表面シート５２の着脱を防水ファスナー５４の開閉によって容易に行えるので、表面シート５２の表面に表示された視覚情報の内容を必要に応じて容易に取り換えることができる。
【００６３】
以上説明したように、本発明に係る屋外用平面スピーカによれば、屋外で使用可能な屋外用の平面スピーカであって、指向性の音声を出力する平面状の静電型スピーカと、前記静電型スピーカの表面側に設けられ、前記静電型スピーカへの雨水の浸入を防ぐ防水性と透音性を併せ持つ表面シートとを備えるので、屋外用平面スピーカに降り注ぐ雨水は表面側の表面シートによって内部への浸入を阻まれ、内部の静電型スピーカは雨水で濡れることがない。一方、静電型スピーカからの音声は透音性の表面シートを透過して外部に放音され得る。したがって、表面に雨水などが付着してもスピーカとしての機能が損なわれることがなく、屋外で使用するのに好適な屋外用平面スピーカを提供することができる。
【００６４】
また、本発明に係る他の屋外用平面スピーカによれば、屋外で使用可能な屋外用の平面スピーカであって、指向性の音声を出力する平面状の静電型スピーカと、前記静電型スピーカの表面側に設けられ、前記静電型スピーカへの雨水の浸入を防ぐための透音性の防水シートと、前記防水シートを固定するための帯状の振れ止め部材と、前記防水シートの表面側に設けられた透音性の表面シートとを備えるので、屋外用平面スピーカに降り注ぐ雨水は表面側の表面シートおよび防水シートによって内部への浸入を阻まれ、内部の静電型スピーカは雨水で濡れることがない。一方、静電型スピーカからの音声は透音性の防水シートおよび表面シートを透過して外部に放音され得る。したがって、表面に雨水などが付着してもスピーカとしての機能が損なわれることがなく、屋外で使用するのに好適な屋外用平面スピーカを提供することができる。
【００６５】
また、本発明に係る他の屋外用平面スピーカによれば、前記静電型スピーカ、前記シートを固定するための枠部材をさらに備えるので、例えば、表面の表面シートを風による撓みで内部の静電型スピーカに接触しない程度の緊張状態で枠部材に固定すれば、屋外で使用するのに好適な耐風構造の屋外用平面スピーカを提供することができる。
【００６６】
また、本発明に係る他の屋外用平面スピーカによれば、前記表面シートの表面は印刷可能に構成されるので、表面シートの表面に文字や図形等の視覚情報を印刷することにより、本発明の屋外用平面スピーカを、指向性の音声を出力する屋外用の平面スピーカとしてだけでなく、視覚情報を表示する屋外設置用の看板としても使用することができる。
【００６７】
また、本発明に係る他の屋外用平面スピーカによれば、前記静電型スピーカの裏面側に設けられ、前記静電型スピーカへの雨水の浸入を防ぐ防水性と遮音性を併せ持つ裏面シートをさらに備えるので、静電型スピーカからの音声は、表面側の透音性の表面シートを透過して表面側の外部に放音され得る一方で、裏面側の遮音性の裏面シートによって遮音されて裏面側の外部に放音されない。このため、屋外用平面スピーカの裏面側に対して騒音となる事態を防ぎながら、表面側に対して所定の音声を出力することができる。したがって、民家などの騒音対策が必要な場所に隣接した工事現場などで使用するのに好適な屋外用平面スピーカを提供することができる。
【００６８】
また、本発明に係る他の屋外用平面スピーカによれば、前記シートは、水滴の付着を防止するためのコーティング層で被覆されており、このコーティング層は、塩化ビニル系、ウレタン系、ポリエステル系、シリコン系、フッ素系の樹脂のうちの少なくとも一つから構成されるので、シートを被覆するコーティング層に付着した雨水などの水滴は重力の作用により下方に滴り落ち、シート内側に浸入しない。これにより、シート内側の静電型スピーカが濡れる事態を未然に防ぐことができる。したがって、表面に雨水などが付着してもスピーカとしての機能が損なわれることがなく、屋外で使用するのに好適な屋外用平面スピーカを提供することができる。
【００６９】
また、本発明に係る他の屋外用平面スピーカによれば、前記シートは、氷雪の付着を防止するためのコーティング層で被覆されているので、降雪などによる氷雪は、シートを被覆するコーティング層によってシート表面に付着することなく、重力の作用により下方に滑り落ちる。これにより、シート内側の静電型スピーカが氷雪によって濡れる事態を防ぐことができる。また特に、表面シートの表面に文字や図形等の視覚情報が印刷されており、この表面シートを備える屋外用平面スピーカを屋外設置用の看板として使用する場合においては、氷雪の付着によって表面シートの文字や図形等の視覚情報が外部から見えなくなる事態を未然に防ぐことができる。したがって、降雪時などにおいても、スピーカとしての機能はもちろんのこと、看板としての機能を正常に維持することができる。
【００７０】
また、本発明に係る他の屋外用平面スピーカによれば、前記シートは、防汚性を付与するためのコーティング層で被覆されているので、シートを被覆するコーティング層によって、シート表面に汚れが付着しにくい。
【００７１】
また、本発明に係る他の屋外用平面スピーカによれば、前記表面シートの周囲に防水ファスナーが設けられ、前記防水ファスナーを介して前記表面シートが取り換え可能となっているので、例えば表面シートの表面に表示された視覚情報の内容を必要に応じて容易に取り換えることができる。
【産業上の利用可能性】
【００７２】
以上のように、本発明に係る屋外用平面スピーカは、風雨環境下においてスピーカとしての機能を損なうことなく長期間風雨に耐えて指向性音声を出力可能なスピーカとして有用であり、特に、ダム工事、トンネル工事、大規模造成工事などの土木建築工事現場、工場内の案内看板のような屋外に設置して長期間使用するのに適している。
【符号の説明】
【００７３】
１０，１００，２００  屋外用平面スピーカ
１２，３２  静電型スピーカ
１４  撥水シート（防水シート）
１６，３８  振れ止め部材
１８，３４  クロス（表面シート）
２０，４０  アルミ枠（枠部材）
２０ａ，４０ａ  アルミ枠の周縁部
２２ａ，２２ｂ，４２ａ，４２ｂ  支持部材
２４，４４  取付金具
２６，４６  コネクタ用防水構造
２８，４８  架台
５０  枠部材
５２  表面シート
５４  防水ファスナー
３６  裏面シート
１２Ａ，３２Ａ  静電型スピーカの表面側
１２Ｂ，３２Ｂ  静電型スピーカの裏面側
１４Ｂ  撥水シートの裏面側
１６Ｂ  振れ止め部材の表面側
【図１】
2015035801.tif 000003
【図２】
2015035801.tif 000004
【図３】
2015035801.tif 000005
【図４−１】
2015035801.tif 000006
【図４−２】
2015035801.tif 000007
【図５】
2015035801.tif 000008
【図６】
2015035801.tif 000009
【図７】
2015035801.tif 000010
【図８−１】
2015035801.tif 000011
【図８−２】
2015035801.tif 000012
【図９】
2015035801.tif 000013